(57)【要約】    【課題】  デジタルカメラで撮影した個々の画像に対する音声情報を簡易な操作で入力・処理・記録・再生・修正できるようにする。    【解決手段】  画像撮影後、撮影済み画像をデジタルカメラ上で再生して確認する際に再生中の画像に関する音声コメントを入力・処理しその結果を前記再生中の画像情報にリンクして記録・保存する。音声入力を行わない場合は既に記録されている音声データを再生する。音声入力に際し既に対応する音声データが記録・保存されている場合は新たな音声入力によるデータで既に存在するデータを上書きする。  【選択図】図２
2006157468.tif 000002
【特許請求の範囲】
【請求項１】
撮影済み画像情報に対応した音声情報を前記撮影済み画像情報再生時に入力・処理・記録し、前記再生中の撮影済み画像情報にリンクして保存する事を特徴とするデジタルカメラ。
【請求項２】
撮影済み画像情報にリンクしての音声情報が既に保存されているときは、前記画像情報再生に並行して前記保存済み音声情報の再生を行うことを特徴とする請求項１記載のデジタルカメラ。
【請求項３】
音声情報の入力・処理・記録は保存済み音声情報再生に優先して行うことを特徴とする請求項１記載のデジタルカメラ。
【請求項４】
音声入力指示用押しボタンスイッチを有し、撮影済み画像情報再生中で且つ前記押しボタンスイッチが押下されている間、音声情報を入力・処理・記録し、再生画像情報にリンクした所定の保存領域に保存することを特徴とする請求項１記載のデジタルカメラ。
【発明の詳細な説明】
【技術分野】
【０００１】
本発明は、撮影画像に対応したコメント等の音声情報を前記撮影画像情報にリンクして記録・保存しておき、撮影済み画像の編集・整理時それを再生して画像の編集・整理・保存に役立たせることのできるデジタルカメラに関する。
【背景技術】
【０００２】
従来のデジタルカメラにおいて、音声情報を撮影画像情報にリンクして記録・保存し、後刻の画像の編集・整理・保存のために活用しようとする試みは多々ある。それらを大別すると、音声入力をデジタルデータに変換して、あるいは前記デジタルデータをデータ圧縮して、記録する方法と、音声を認識し認識結果をテキストデータとして記録する方法、に大別される。
【０００３】
しかしこれらはいずれも、音声情報の入力は画像撮影の前後において行われるため、記録・保存された音声情報内容が撮影済み画像の編集・整理・保存に必要充分な情報とならない場合が多々あり、一般のデジタルカメラ使用者にとっては必ずしも有効で使い勝手の良いものではなかった。
【０００４】
【特許文献１】特許公表2000-599201公報
【特許文献２】特許公開2003-283987公報
【特許文献３】特許公開2003- 87624公報
【発明の開示】
【発明が解決しようとする課題】
【０００５】
本発明はデジタルカメラで撮影した画像に関連する音声コメントの入力を、撮影済み画像の確認のための画像再生時に行うようにするとともに、入力済み音声情報の修正も可能化して撮影画像の編集・整理・保存に対する音声情報の有効性を向上させようとするものである。
【課題を解決するための手段】
【０００６】
撮影済み画像に関連する音声情報の入力は、撮影済み画像をデジタルカメラ上で再生した時に行う。すなわち、何らかの画像を撮影しその結果を確認するために画像再生したとき必要に応じてその画像に対する音声コメントを入力し、それをＡ／Ｄ（アナログ−デジタル）変換・音声圧縮・記録して前記再生中の画像情報にリンクして保存する。
【０００７】
このようなタイミングで音声入力することにより、音声入力を撮影とほぼ同時に、撮影の前・後のタイミングで、行うことによる入力操作の煩雑さは解消され、且つ入力も撮影後の再生時に行うことから落ち着いて出来、情報内容に漏れがなくなる。さらに音声コメントが複数枚の撮影済み画像に関して共通の場合等は代表する一枚の撮影済み画像以外の画像への音声入力を止めることも出来る。
【０００８】
また、記録した音声情報の再生は画像の再生と並行して行う。保存済みの音声情報を修正したい場合には、改めて音声入力することによって先に保存してある音声情報に上書きして修正される。
【発明の効果】
【０００９】
以上説明した本発明によるデジタルカメラによって、使用者は簡易に撮影済み画像に関する音声コメントを入力・再生・保存・修正でき、それを有効活用する事によって画像の編集・整理・保存を簡易に正確に行うことができる。
【発明を実施するための最良の形態】
【００１０】
音声入力指示用に押しボタンスイッチを設ける。撮影済みの画像再生中で前記押しボタンスイッチが押下されていないときには、前記撮影済み画像情報にリンクして既に保存されている音声情報を再生する。押しボタンスイッチが押下されている場合は、改めて音声情報の入力・処理・記録を行い、前記画像再生が終了するかあるいは前記押しボタンスイッチの押下が終了するかの内いずれか早い方のタイミングで音声入力・処理・記録を停止し、今まで再生中であった撮影済み画像情報にリンクして前記入力・処理・記録した音声情報を保存する。
【実施例１】
【００１１】
図１に本発明によるデジタルカメラの構成例を、図２に図１構成例における本発明による音声情報入力処理手順を、それぞれ示す。
但し図１、図２においては、各々本発明に関連する部分のみの構成、処理の流れを示している。
【００１２】
図１において、
１は、ＣＰＵ主体で構成され、デジタルカメラ全体の制御を行う制御部、
２は、デジタルカメラ使用者がデジタルカメラの撮影条件設定、撮像、画像および音声再生、音声入力等の操作を行う操作部、
３は、撮像画像、再生画像、撮像条件、カメラの状態等の表示出力を行う表示部、
【００１３】
４は、被写体の撮像を行い、デジタル画像データを出力する撮像部、
５は、メモリカード９からＩ／Ｏ部８経由撮影済みデジタル画像データを入力し、これを画像表示できる形態に変換処理して表示部３に出力する画像再生部、
６は、マイク、増幅部、Ａ／Ｄ（アナログ−デジタル）変換部、データ圧縮部および音声メモリ部から構成され、デジタルカメラ使用者の操作により前記マイクに入力した音声情報を増幅・Ａ／Ｄ変換・データ圧縮した結果のデジタル音声データを前記音声メモリ部に記録する音声入力部、
【００１４】
７は、メモリカード９からＩ／Ｏ部８経由デジタル音声データを入力してデータ伸張・Ｄ／Ａ（デジタル−アナログ）変換を行い音声出力する音声再生出力部、
８は、バスライン１０とメモリカード９の接続を行うＩ／Ｏ部、
９は、撮像部４あるいは音声入力部６からの画像データ、音声データ、あるいはそれらの関連データを所定の領域に記録・保存する可換型のメモリカード、
【００１５】
１０は、制御部１に接続され、操作部２、表示部３、撮像部４、画像再生部５、音声入力部６、音声再生出力部７、Ｉ／Ｏ部８、の制御信号、操作信号、表示信号および画像データ、音声データ等の伝送を行うバスライン、
である。
【００１６】
音声入力は、画像再生中での操作部２中に設けられている音声入力指示用の押しボタンスイッチの押下によって可能になる。すなわち、撮影済み画像再生中に前記操作部２中の音声入力指示用の押しボタンスイッチが押下されると音声入力部６のマイクから入力される音声は増幅・Ａ／Ｄ変換・圧縮処理されて音声メモリ部に順次記録される。
【００１７】
押下が終了したとき、あるいは現行画像再生が終了したとき、押下開始から押しボタン押下終了あるいは画像再生終了までの間に音声メモリ部に記録された音声データはメモリカード９中に、再生中であった画像データにリンクした形で記録・保存される。
【００１８】
前記図１構成例における音声入力処理手順を改めて図２で説明する。図２において、
２１は、音声入力処理手順のスタート点であり、音声入力処理手順がスタートすると、
２２において、撮影済み画像が再生中か否かを聞いて、再生中で無ければ再生されるのを待つためスタート点２１にもどる。
【００１９】
２２において、再生中であると判定した場合は、
２３において、音声入力指示がなされているか否か、即ち画像再生中で且つ前記音声入力指示用の押しボタンスイッチが押下されているか否かを聞き、音声入力指示がなされていなければ、
２４において、前記再生中の画像に対応した音声データを図１に示すメモリカード９から読み出して再生・出力する。
【００２０】
２３において、音声入力指示がなされている場合、即ち画像再生中で且つ音声入力指示用の押しボタンスイッチが押下されている場合は、
２５において、既に音声再生中であればそれを停止させ、
２６において、音声入力処理を開始する。その後、
２７において、音声入力の指示が続いているか否か、即ち画像再生中で且つ音声入力指示用の押しボタンスイッチが押下され続けているか否かを確認し、音声入力指示中であれば前記２５、２６の処理を継続する。
【００２１】
２７において、音声入力指示が停止、即ち画像再生が停止したかあるいは音声入力指示用の押しボタンスイッチの押下がなされていない場合は、
２８において、音声入力処理を停止し、図１音声入力部６において今まで入力・処理・記録された音声データを、図１メモリカード９中の前記再生中の画像に対応した音声データ記録領域に記録・保存し、スタート点２１にもどる。
【００２２】
上記の如く構成・動作・処理することにより、デジタルカメラ上で再生されている画像に対応した音声情報は前記再生中の画像に対応した音声記録領域に記録・保存される。既に何らかの音声データがそこに記録・保存されている場合は、そのデータの再生は音声入力指示がある場合は音声入力処理が優先することにより停止され、且つ、メモリカード９中のデータは新たに入力処理された音声データで上書き・修正される。但し、音声入力指示がない場合は画像再生と並行して音声再生が行われる。
【産業上の利用可能性】
【００２３】
本発明によって、例えば長期間の旅行等で大量に撮影した画像の編集・整理・保存に際し、個々の画像撮影時の情報を個々の画像毎に音声で簡易に知ることができ有効である。また音声入力も撮影直前直後ではなく撮影後時間の余裕があるときに撮影画像を再生しながら入力・修正することができ使い勝手が良い。
【図面の簡単な説明】
【００２４】
【図１】本発明によるデジタルカメラの一構成例
【図２】図１に示すデジタルカメラ構成例での音声入力処理手順を示す説明図
【符号の説明】
【００２５】
図１において、
１：制御部  
２：操作部  
３：表示部  
４：撮像部  
５：画像再生部  
６：音声入力部  
７：音声再生出力部  
８：Ｉ／Ｏ部  
９：メモリカード  
１０：バスライン  
である。
【００２６】
図２において、
２１：スタート点  
２２：画像再生中か否かの打診処理  
２３：音声入力指示がなされているか否かの打診処理  
２４：音声再生処理  
２５：音声再生処理停止処理  
２６：音声入力処理  
２７：音声入力指示が停止したか否かの打診処理  
２８：音声入力処理停止処理  
２９：音声入力データのメモリーカードへの記録・保存処理  
の処理を示す。
【図１】
2006157468.tif 000003
【図２】
2006157468.tif 000004
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
デジタルカメラ上で、撮影済み画像再生時に音声入力指示がなされた場合は音声情報の入力・処理・記録を行い、その結果を前記再生中の撮影済み画像情報にリンクして記録・保存すること、また音声入力指示がなされない場合は再生中の画像にリンクして記録・保存されている音声情報がある場合にはそれを再生出力すること、を特徴とするデジタルカメラ。
【請求項２】
撮影済み画像情報にリンクしての音声情報が既に記憶・保存されている場合において音声入力指示がなされた場合は、古い音声情報は新たな音声情報で上書きされることを特徴とする請求項１記載のデジタルカメラ。
【請求項３】
撮影済み画像情報およびそれにリンクした音声情報が記録・保存されている記録媒体はデジタルカメラから取り出し可能であり且つパーソナルコンピュータ等に接続しての画像および音声再生が可能であることを特徴とする請求項１記載のデジタルカメラ。
【手続補正３】
【補正対象書類名】明細書
【補正対象項目名】０００１
【補正方法】変更
【補正の内容】
【０００１】
本発明は、デジタルカメラで撮影した個々の画像に対応したコメント等の音声情報を簡単な操作で前記撮影画像情報にリンクして記録・保存でき、撮影済み画像の編集・整理時それを再生して画像の編集・整理・保存に役立たせることのできるデジタルカメラに関する。
【手続補正４】
【補正対象書類名】明細書
【補正対象項目名】０００３
【補正方法】変更
【補正の内容】
【０００３】
しかしこれらはいずれも、音声情報の入力は画像撮影の前後において比較的複雑な操作で行われるため、記録・保存された音声情報内容が撮影済み画像の編集・整理・保存に必要充分な情報とならない場合が多く、一般のデジタルカメラ使用者にとっては必ずしも有効で使い勝手の良いものではなかった。
【手続補正５】
【補正対象書類名】明細書
【補正対象項目名】０００５
【補正方法】変更
【補正の内容】
【０００５】
本発明はデジタルカメラで撮影した画像に関連する音声コメントの入力を、撮影済み画像の確認のためのデジタルカメラ上での画像再生時に簡易な操作でできるようにするとともに、入力済み音声情報の修正も簡易化して撮影画像の編集・整理・保存に対する音声情報の有効性を向上させようとするものである。
【手続補正６】
【補正対象書類名】明細書
【補正対象項目名】０００６
【補正方法】変更
【補正の内容】
【０００６】
撮影済み画像に関連する音声情報の入力は、撮影済み画像をデジタルカメラ上で再生した時に行う。すなわち、何らかの画像を撮影しその結果を確認するために画像再生したとき必要に応じてその画像に対する音声コメントを入力し、それをＡ／Ｄ（アナログ−デジタル）変換・音声圧縮して前記再生中の画像情報にリンクして記録・保存する。
【手続補正７】
【補正対象書類名】明細書
【補正対象項目名】０００７
【補正方法】変更
【補正の内容】
【０００７】
このようなタイミングで音声入力することにより、音声入力を撮影とほぼ同時に、撮影の前・後のタイミングであわただしく行うことによる入力操作の煩雑さは解消され、且つ入力も撮影後の再生時に行うことから落ち着いて出来、情報内容に漏れがなくなる。さらに音声コメントが複数枚の撮影済み画像に関して共通の場合等はそのうちの一枚の撮影済み画像への音声入力で代表させることも出来る。
【手続補正８】
【補正対象書類名】明細書
【補正対象項目名】００１１
【補正方法】変更
【補正の内容】
【００１１】
図１に本発明によるデジタルカメラの構成例を、図２に図１構成例における本発明による音声情報入力処理手順を、それぞれ示す。
但し図１、図２においては、各々本発明に関連する部分のみの構成、処理の流れを示している。
【手続補正９】
【補正対象書類名】明細書
【補正対象項目名】００１７
【補正方法】変更
【補正の内容】
【００１７】
押下が終了したとき、あるいは現行画像再生が終了したとき、押下開始から押しボタン押下終了あるいは画像再生終了までの間に音声メモリ部に記録された音声データはメモリカード９中に、再生中であった画像データにリンクした形で記録・保存される。
【手続補正１０】
【補正対象書類名】明細書
【補正対象項目名】００２２
【補正方法】変更
【補正の内容】
【００２２】
上記の如く構成・動作・処理することにより、デジタルカメラ上で再生されている画像に対応した音声情報は前記再生中の画像に対応した音声記録領域に記録・保存される。既に何らかの音声データがそこに記録・保存されている場合は、そのデータの再生は音声入力指示がある場合は音声入力処理が優先することにより停止され、且つ、メモリカード９中のデータは新たに入力処理された音声データで上書き・修正される。但し、音声入力指示がない場合は画像再生と並行して音声再生が行われる。
又上記において音声情報の再生はデジタルカメラ上としたが、画像情報・音声情報を記録したメモリカードをパーソナルコンピュータ等に接続してそこで画像の編集等を行う場合においても、画像と合わせて音声の再生を行うようにすることは可能である。